(57)【要約】      （修正有）【課題】パノラマ撮影機能を有し、撮影モジュール全体の体積を縮小させ、精巧で携帯及び設置に便利な撮影モジュールを提供する。【解決手段】本考案の撮影モジュールは、第１撮影部材１１、第２撮影部材１２、回路基板１３を含み、該回路基板は、第１側面１３１、第２側面１３２及び複数の回路１３３を有し、該第１、第２撮影部材は、それぞれ前記第１、第２側面に設けられ、且つ該回路基板と電気接続し、本考案の撮影モジュールによって、体積を縮小し、且つパノラマ撮影機能を有し、生産コストを低減する。【選択図】図１
0003209652.tif 000002
【実用新案登録請求の範囲】
【請求項１】
少なくとも１つの第１レンズ、第１光学フィルタ及び少なくとも１つの第１イメージ処理チップを有する第１撮影部材と、
少なくとも１つの第２レンズ、第２光学フィルタ及び少なくとも１つの第２イメージ処理チップを有する第２撮影部材と、
第１側面、第２側面及び複数の回路を有する回路基板と、
を含み、該第１、第２側面は、該回路基板の両側に相対設置され、該第１、第２撮影部材は、それぞれ前記第１、第２側面に設けられ、該回路基板と電気接続する、撮影モジュール。
【請求項２】
前記回路基板は、複数の回路基板である請求項１に記載の撮影モジュール。
【請求項３】
前記第１、第２レンズは、超広角レンズであり、該第１、第２レンズの視角は、１４０°より大きい請求項１に記載の撮影モジュール。
【請求項４】
更に、第３レンズを有し、該第１レンズと対応して設置し、該第１、第３レンズは、対応して光学ズームを発生することができる請求項１に記載の撮影モジュール。
【請求項５】
更に、第４レンズを有し、該第２レンズと対応して設置し、該第２、第４レンズは、対応して光学ズームを発生することができる請求項１に記載の撮影モジュール。
【請求項６】
更に、前記回路基板と電気接続する雄コネクタを有する請求項１に記載の撮影モジュール。
【請求項７】
更に、前記回路基板と電気接続する雌コネクタを有する請求項１に記載の撮影モジュール。
【考案の詳細な説明】
【技術分野】
【０００１】
撮影モジュールに関し、特に、２つ以上の撮影レンズを回路基板上に整合し、３６０°パノラマ撮影を提供する撮影モジュールに関する。
【背景技術】
【０００２】
従来の撮影モジュールは、１つのレンズから組成され、広角レンズの撮像視角は、一般に６４°〜７６°の間に制限され、超広角撮像視角は、８４°〜１１０°の間に達し、光学レンズ及び結像チップ技術の絶え間ない発展に伴って、常規の撮影モジュールの従来の視覚システムに基づき、その有限の視野範囲によって多くの応用の場合の要求を満たすことができない。角度の結像が大きな視野を有する顕著な特徴は、現在の視覚研究の焦点となっている。
【０００３】
現在のパノラマ撮影は、広角撮影モジュールにより１組の写真を撮影し、専門ソフトウェアによってパノラマ画像に合成する。撮像装置が益々小さくなるに伴い、益々携帯し易くなり、従来のパノラマ撮像装置は、複数の撮影モジュールから空間撮像を構成し、体積が大きく、応用範囲が有限であるという問題が存在し、このようにして、モバイル装置に適用するパノラマ撮影モジュール設計が用いられている。
【０００４】
現行の撮影装置は、２〜３個の独立撮影レンズが接続した後にそれぞれ１２０°のイメージ撮影を担い、撮影したイメージ信号をイメージ処理ユニットに伝送して合成した後、３６０°のパノラマ撮影効果を獲得し、また、２〜３の独立撮影レンズ及びその撮影モジュールがそれぞれ独立して取り付けられた後、３６０°のパノラマ撮影モジュールに整合し、その体積が携帯に適合するように減縮できず、故に３６０°のパノラマ撮影モジュールの体積を携帯に便利になるように縮小することは、現段階の改善の主要目標となっている。
【先行技術文献】
【特許文献】
【０００５】
【特許文献１】特表２０１４−５３６０９８号公報
【考案の概要】
【考案が解決しようとする課題】
【０００６】
そこで、上記従来技術の欠点を解決する為、本考案の主な目的は、３６０°パノラマ撮影可能で体積精巧な撮影モジュールを提供することである。
【課題を解決するための手段】
【０００７】
上記の目的を達成する為、本考案が提供する撮影モジュールは、第１撮影モジュール、第２撮影モジュール、回路基板を含み、
前記第１撮影モジュールは、少なくとも１つの第１レンズ、第１光学フィルタ及び少なくとも１つの第１イメージ処理チップを有し、前記順序に基づいて配列設置し、前記第２撮影モジュールは、少なくとも１つの第２レンズ、第２光学フィルタ及び少なくとも１つの第２イメージ処理チップを有し、前記順序に基づいて配列設置し、前記第１、第２レンズは、超広角レンズであり、該第１、第２レンズの視角が１４０°より大きい。
【０００８】
前記回路基板は、第１側面、第２側面及び複数の回路を有し、該第１、第２側面は、回路基板の両側に相対設置され、該第１、第２撮影モジュールは、それぞれ前記第１、第２側面に設けられ、且つ該回路基板と電気接続し、前記回路基板は、複数層の回路基板である。
【考案の効果】
【０００９】
本考案の撮影モジュールは、３６０°パノラマ撮影機能を有する撮影モジュールを提供することができるだけではなく、更に、本考案が提供する配置組み合わせ方式により撮影モジュール全体の体積を縮小させ、且つ更に精巧で携帯及び設置に便利にすることができる。
【図面の簡単な説明】
【００１０】
【図１】本考案の撮影モジュールの第１実施例の分解図である。
【図２】本考案の撮影モジュールの第１実施例の組み合わせ図である。
【図３】本考案の撮影モジュールの第２実施例の分解図である。
【図４】本考案の撮影モジュールの第３実施例の分解図である。
【図５】本考案の撮影モジュールの第４実施例の分解図である。
【考案を実施するための形態】
【００１１】
図１、図２を参照し、それは、本考案の撮影モジュールの第１実施例の分解図及び組み合わせ図であり、図に示すように、本考案の動作モジュール１は、第１撮影部材１１、第２撮影部材１２、回路基板１３を含み、
前記第１撮影部材１１は、少なくとも１つの第１レンズ１１１及び第１光学フィルタ１１２及び少なくとも１つの第１イメージ処理チップ１１３を有し、前記順序に基づいて配列設置し、前記第２撮影部材１２は、少なくとも１つの第２レンズ１２１、第２光学フィルタ１２２及び少なくとも１つの第２イメージ処理チップ１２３を有し、順序に基づいて配列設置し、前記第１、第２レンズ１１１、１２１は、超広角レンズであり、該第１、第２レンズ１１１、１２１の視角は、１４０°より大きい。
【００１２】
前記回路基板１３は、第１側面１３１、第２側面１３２及び複数の回路１３３を有し、該第１、第２側面１３１、１３２は、該回路基板１３の両側に相対設置され、該第１、第２撮影部材１１、１２は、それぞれ前記第１、第２側面１３１、１３２に設けられ、且つ該回路基板１３と電気接続し、前記回路基板１３は、多層の回路基板である。
【００１３】
図３は、本考案の撮影モジュールの第２実施例の分解図であり、図に示すように、本実施例の一部の構造は、前記第１実施例と同じであり、故にここでは再度記載せず、本実施例と前記第１実施例の相違箇所は、第２レンズ１１４及び第４レンズ１２４を有することにあり、該第３レンズ１１４は、該第１レンズ１１１と対応設置し、該第１、第３レンズ１１１、１１４は、光学ズームを対応して発生することができる。
【００１４】
図４は、本考案の撮影モジュールの第３実施例の分解図であり、図に示すように、本実施例の部分構造と前記第１実施例の相違箇所は、雄コネクタ１４及び雌コネクタ１５を更に有し、前記雄コネクタ１４は、前記回路基板１３と電気接続し、前記雌コネクタ１５は、前記回路基板１３と電気接続することにある。
【００１５】
図５は、本考案の撮影モジュールの第４実施例の分解図であり、図に示すように、本実施例の一部の構造は、前記第１実施例と同じであり、故にここでは再度記載せず、本実施例と前記第１実施例の相違箇所は、第１レンズベース１６及び第２レンズベース１７を更に有し、前記第１レンズベース１６は、前記第１撮影部材１１と対応して組み付けられ、前記第１レンズ１１１は、第１レンズベース１６の一側に当接され、該第１光学フィルタ１１２及び該第１イメージ処理チップ１１３は、該第１レンズベース１６内に対応してパッケージされ、該第１レンズベース１６は、該回路基板１３の第１側１３１に設置される。
【００１６】
前記第２レンズベース１７は、前記第２撮影部材１２と対応して組み付けられ、前記第２レンズ１２１は、第２レンズベース１７の一側に当接され、該第２光学フィルタ１２２及び該第２映像処理チップ１２３は、該第２レンズベース１７内に対応してパッケージされ、該第２レンズベース１７は、該回路基板１３の第２側１３２に設置される。
【００１７】
本考案の目的は、２つ以上の撮影レンズを同一の回路基板の両側面に直接整合し、その主要な目的は、製造コストを節減することができる以外に、更に、全体の体積の大きさを減縮し、使用者に携帯可能で任意の配置すべき箇所に設置させることができる。
【符号の説明】
【００１８】
１  撮影モジュール
１１  第１撮影部材
１１１  第１レンズ
１１２  第１光学フィルタ
１１３  第１イメージ処理チップ
１１４  第３レンズ
１２  第２撮影部材
１２１  第２レンズ
１２２  第２光学フィルタ
１２３  第２イメージ処理チップ
１２４  第４レンズ
１３  回路基板
１３１  第１側面
１３２  第２側面
１３３  回路
１４  雄コネクタ
１５  雌コネクタ
１６  第１レンズベース
１７  第２レンズベース
【図１】
0003209652.tif 000003
【図２】
0003209652.tif 000004
【図３】
0003209652.tif 000005
【図４】
0003209652.tif 000006
【図５】
0003209652.tif 000007